(57)【要約】【課題】低操作力でコネクタハウジング相互を嵌合させることができ、しかも、コネクタの低背化を図ることができ、さらに、コネクタから引き出されるケーブルの引き出し方向が制限されず、ケーブルの引き出しが容易な低操作力コネクタを提供すること。【解決手段】コネクタハウジング相互を嵌合開始位置に突き合わせた状態で、第２コネクタハウジング３０にスライド可能に装備されたスライダ４０をスライド方向に押し込むと、スライダ４０上のカム溝４５が第１コネクタハウジング２０上の嵌合用ピン２１を引き込んで、コネクタハウジング相互が嵌合する低操作力コネクタ１において、スライダ４０がスライド開始位置Ｐ１からスライド完了位置Ｐ２に押し込まれるときにスライダ４０をスライド完了位置側に付勢してスライダ４０を押し込む際の操作力を低減させる嵌合補助バネ５０を備える。【選択図】図２
2015090797.tif 000002
【特許請求の範囲】
【請求項１】
外側面に嵌合用ピンが突設された第１コネクタハウジングと、
該第１コネクタハウジングの嵌合相手となる第２コネクタハウジングと、
コネクタハウジング相互の嵌合方向と直交する方向にスライド可能に前記第２コネクタハウジングに取り付けられて、スライド開始位置からスライド完了位置に押し込むと、前記嵌合用ピンを引き込んでコネクタハウジング相互の嵌合を完了させるカム溝を有したスライダと、
を備える低操作力コネクタであって、
前記スライダが前記スライド開始位置から前記スライド完了位置に押し込まれるときに、前記スライダを前記スライド完了位置側に付勢する嵌合補助バネを、前記スライダと前記第２コネクタハウジングとの間に備えたことを特徴とする低操作力コネクタ。
【請求項２】
前記スライダの先端部に当接する作用点部と、前記第２コネクタハウジングに回動可能に支持される支点部とを備え、前記支点部回りに回動操作すると前記スライダを前記スライド開始位置に押し戻す嵌合解除用てこ部材を備えたことを特徴とする請求項１に記載の低操作力コネクタ。
【請求項３】
前記嵌合解除用てこ部材は、前記スライダが前記スライド完了位置に位置しているとき、力点部が前記第２コネクタハウジングの後縁に沿って前記後縁よりも内側に延在する構造であることを特徴とする請求項２に記載の低操作力コネクタ。
【発明の詳細な説明】
【技術分野】
【０００１】
本発明は、低操作力でコネクタハウジング相互を嵌合させることができる低操作力コネクタに関する。
【背景技術】
【０００２】
図６は、下記特許文献１に開示された低操作力コネクタを示している。
この低操作力コネクタ１００は、外側面に嵌合用ピン１１１が突設された第１コネクタハウジング１１０と、該第１コネクタハウジング１１０の嵌合相手となる第２コネクタハウジング１２０と、コネクタハウジング相互を嵌合させる際の操作力を低減させるために第２コネクタハウジング１２０の側面に取り付けられるスライダ１３０と、を備えている。
【０００３】
図６において、矢印Ｘ１は、第１コネクタハウジング１１０と第２コネクタハウジング１２０との嵌合方向を示している。
【０００４】
第２コネクタハウジング１２０の外側壁１２１には、第２コネクタハウジング１２０に第１コネクタハウジング１１０を嵌合させたときに、第１コネクタハウジング１１０の嵌合用ピン１１１が嵌合方向に移動可能な案内溝１２２が、形成されている。また、第２コネクタハウジング１２０の外側壁１２１の一端（図６では、右端１２１Ｒ）には、レバー支持軸１２３が装備されている。
【０００５】
スライダ１３０は、第１コネクタハウジング１１０と第２コネクタハウジング１２０との嵌合方向と直交する方向（図６の矢印Ｙ１方向）にスライド可能に、第２コネクタハウジング１２０に取り付けられている。スライダ１３０は、その一端部１３０ａが、図６に示したスライド開始位置Ｐ１から、スライド完了位置Ｐ２まで、矢印Ｙ２方向に移動可能である。
【０００６】
このスライダ１３０には、第２コネクタハウジング１２０上のレバー支持軸１２３が挿通する長穴１３１と、カム溝１３２と、が装備されている。
【０００７】
長穴１３１は、スライダ１３０のスライド方向に延びていて、レバー支持軸１２３がこのスライダ１３０の長穴１３１の片側（図６では左側）に納まっており、スライダ１３０のスライド動作時には、レバー支持軸１２３を中心にスライダ１３０が左側（Ｙ２方向）へ摺動する。
【０００８】
カム溝１３２は、嵌合用ピン１１１が摺動可能な溝で、始端１３２ａが、第１コネクタハウジング１１０側の端縁に開口している。このカム溝１３２は、第１コネクタハウジング１１０側の端縁から徐々に離れるように、スライダ１３０のスライド方向と逆側に延びている。
【０００９】
スライダ１３０がスライド開始位置Ｐ１に位置している状態で、第１コネクタハウジング１１０と第２コネクタハウジング１２０とを嵌合開始位置に突き合わせると、第１コネクタハウジング１１０の嵌合用ピン１１１がカム溝１３２の始端１３２ａに進入する。
【００１０】
レバー１４０は、レバー支持軸１２３から第２コネクタハウジング１２０の後方側に斜めに延出している。また、このレバー１４０は、その中間部が、連節棒１５０によってスライダ１３０の他端に連結されている。したがって、このレバー１４０を図６の矢印Ｒ１方向に回動させると、レバー１４０の回動に伴い、連節棒１５０がスライダ１３０を矢印Ｙ２方向に押すように作用する。
【００１１】
そこで、レバー１４０を矢印Ｙ２方向に回動させると、スライダ１３０がスライド開始位置Ｐ１からスライド完了位置Ｐ２にスライド移動し、始端１３２ａに位置していた嵌合用ピン１１１がカム溝１３２内を摺動することで、嵌合用ピン１１１がコネクタハウジング相互の嵌合方向に引き込まれ、コネクタハウジング相互の嵌合が深まる。スライダ１３０がスライド完了位置Ｐ２まで移動すると、コネクタハウジング相互の嵌合が完了した状態になる。
【００１２】
特許文献１の低操作力コネクタ１００の場合、スライダ１３０のスライド移動は、レバー支持軸１２３に回動自在に結合されたレバー１４０の回動操作によって行う。
【００１３】
レバー１４０及び連節棒１５０がてことして機能するため、小さな操作力で、スライダ１３０をスライドさせて、第１コネクタハウジング１１０と第２コネクタハウジング１２０とを嵌合させることができる。
【先行技術文献】
【特許文献】
【００１４】
【特許文献１】特開２０１２−８９４００号公報
【発明の概要】
【発明が解決しようとする課題】
【００１５】
ところが、特許文献１の低操作力コネクタ１００では、コネクタハウジング嵌合前に嵌合用のレバー１４０が第２コネクタハウジング１２０の後方に大きく突出し、嵌合前の第２コネクタハウジング１２０の低背化が妨げられるという問題がある。
【００１６】
また、特許文献１の低操作力コネクタ１００では、第２コネクタハウジング１２０の後方に突出する嵌合用のレバー１４０が、第２コネクタハウジング１２０の後方に引き出されるケーブルの引き出しの邪魔になり、ケーブルの引き出し方向が制限されてしまうという問題もあった。
【００１７】
そこで、本発明の目的は、上記課題を解消することに係り、低操作力でコネクタハウジング相互を嵌合させることができ、しかも、コネクタハウジングの低背化を図ることができ、さらに、コネクタから引き出されるケーブルの引き出し方向が制限されず、ケーブルの引き出しが容易な低操作力コネクタを提供することにある。
【課題を解決するための手段】
【００１８】
本発明の前述した目的は、下記の構成により達成される。
（１）  外側面に嵌合用ピンが突設された第１コネクタハウジングと、
該第１コネクタハウジングの嵌合相手となる第２コネクタハウジングと、
コネクタハウジング相互の嵌合方向と直交する方向にスライド可能に前記第２コネクタハウジングに取り付けられて、スライド開始位置からスライド完了位置に押し込むと、前記嵌合用ピンを引き込んでコネクタハウジング相互の嵌合を完了させるカム溝を有したスライダと、
を備える低操作力コネクタであって、
前記スライダが前記スライド開始位置から前記スライド完了位置に押し込まれるときに、前記スライダを前記スライド完了位置側に付勢する嵌合補助バネを、前記スライダと前記第２コネクタハウジングとの間に備えたことを特徴とする低操作力コネクタ。
【００１９】
（２）  前記スライダの先端部に当接する作用点部と、前記第２コネクタハウジングに回動可能に支持される支点部とを備え、前記支点部回りに回動操作すると前記スライダを前記スライド開始位置に押し戻す嵌合解除用てこ部材を備えたことを特徴とする上記（１）の低操作力コネクタ。
【００２０】
（３）  前記嵌合解除用てこ部材は、前記スライダが前記スライド完了位置に位置しているとき、力点部が前記第２コネクタハウジングの後縁に沿って前記後縁よりも内側に延在する構造であることを特徴とする上記（２）の低操作力コネクタ。
【００２１】
上記（１）の構成によれば、スライド動作によってコネクタハウジング相互を嵌合させるスライダは、スライド操作する際に、嵌合補助バネの付勢を受けて操作力が低減されるため、低操作力でコネクタハウジング相互を嵌合させることができる。
【００２２】
また、スライダの操作力を低減させる嵌合補助バネは、スライダと第２コネクタハウジングとの間に装備することができ、第２コネクタハウジングの後方に突出する嵌合用のレバー等の部材が必要ないため、第２コネクタハウジングの低背化を図ることができる。
【００２３】
また、第２コネクタハウジングの後方に突出する嵌合用のレバー等の部材が必要ないため、第２コネクタハウジングの後方に引き出されるケーブルは、第２コネクタハウジングの後方の任意方向に引き出すことができる。即ち、コネクタから引き出されるケーブルの引き出し方向が制限されず、ケーブルの引き出しが容易になる。
【００２４】
上記（２）の構成によれば、嵌合接続されている第１コネクタハウジングと第２コネクタハウジングは、嵌合解除用てこ部材の回動操作によって、小さな操作力でスライダをスライド開始位置に押し戻すことができる。したがって、コネクタハウジング相互の離脱も、低操作力で実現することができる。
【００２５】
上記（３）の構成によれば、スライダがスライド完了位置に位置し、第１コネクタハウジングと第２コネクタハウジングとの嵌合が完了している状態では、嵌合解除用てこ部材の力点部が第２コネクタハウジングの後縁に沿って前記後縁よりも内側に延在していて、嵌合解除用てこ部材の第２コネクタハウジングの後方への突出が抑えられている。
【００２６】
したがって、嵌合解除用てこ部材も、第２コネクタハウジングから引き出されるケーブルの引き出し方向の邪魔になり難く、ケーブルの引き出し性が損なわれることを防止することができる。
【発明の効果】
【００２７】
本発明による低操作力コネクタによれば、低操作力でコネクタハウジング相互を嵌合させることができ、しかも、コネクタハウジングの低背化を図ることができ、さらに、コネクタから引き出されるケーブルの引き出し方向が制限されず、ケーブルの引き出しを容易にすることができる。
【００２８】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００２９】
【図１】図１は本発明に係る低操作力コネクタの一実施形態の分解斜視図である。
【図２】図２は図１に示した低操作力コネクタの第１コネクタハウジングと第２コネクタハウジングとを嵌合させる際の動作説明図である。
【図３】図３は一実施形態の第１コネクタハウジングと第２コネクタハウジングとが嵌合完了した状態の斜視図である。
【図４】図４は一実施形態の低操作力コネクタで、第２コネクタハウジングの後方におけるケーブルの引き出し方向が自由であることを示すコネクタ後面図である。
【図５】図５は第１コネクタハウジングと第２コネクタハウジングとの嵌合を解除する作用の説明図である。
【図６】図６は従来の低操作力コネクタの側面図である。
【発明を実施するための形態】
【００３０】
以下、本発明に係る低操作力コネクタの好適な実施形態について、図面を参照して詳細に説明する。
【００３１】
図１〜図５は本発明に係る低操作力コネクタの一実施形態を示したもので、図１は一実施形態の低操作力コネクタの分解斜視図、図２は図１に示した低操作力コネクタの第１コネクタハウジングと第２コネクタハウジングとを嵌合させる際の動作説明図、図３は一実施形態の第１コネクタハウジングと第２コネクタハウジングとが嵌合完了した状態の斜視図、図４は一実施形態の低操作力コネクタで、第２コネクタハウジングの後方におけるケーブルの引き出し方向が自由であることを示すコネクタ後面図、図５は第１コネクタハウジングと第２コネクタハウジングとの嵌合を解除する作用の説明図である。
【００３２】
この一実施形態の低操作力コネクタ１は、図１及び図２に示すように、外側面に嵌合用ピン２１が突設された第１コネクタハウジング２０と、該第１コネクタハウジング２０の嵌合相手となる第２コネクタハウジング３０と、コネクタハウジング相互を嵌合させる際の操作力を低減させるために第２コネクタハウジング３０の側面に取り付けられるスライダ４０と、スライダ４０をスライド開始位置Ｐ１からスライド完了位置Ｐ２に押し込む際の操作力を低減させるための嵌合補助バネ５０と、コネクタハウジング相互の嵌合を解除させるための嵌合解除用てこ部材６０と、を備える。
【００３３】
図１において、矢印Ｘ２は、第１コネクタハウジング２０と第２コネクタハウジング３０との嵌合方向を示している。
【００３４】
第１コネクタハウジング２０は、先端側の端子収容部２２が、第２コネクタハウジング３０内に嵌入する雄型コネクタハウジングである。嵌合用ピン２１は、端子収容部２２の上下の両外側面２２ａに、それぞれ複数本（図１では３本）ずつ、突設されている。３本の嵌合用ピン２１は、図１に示すように、ハウジングの幅方向（図１の矢印Ｙ２方向）に一定の間隔ｋを開けて、配置されている。
【００３５】
なお、第１コネクタハウジング２０や第２コネクタハウジング３０の上下方向は、これらのハウジングの厚み方向であり、図１の矢印Ｚ２方向である。図１では、それぞれのハウジング２０，３０は、その上面が見えており、下面は見えていないが、下面も同様の構成となっている。
【００３６】
第２コネクタハウジング３０は、図１に示すように、端子金具を収容保持するインナーハウジング３１と、このインナーハウジング３１に収納されるマットシール３２と、インナーハウジング３１を収容保持するアウターハウジング３３と、から構成されている。
【００３７】
アウターハウジング３３は、略角筒状の構造で、インナーハウジング３１の上面の上を覆う上部外側壁３３１と、インナーハウジング３１の下面の上を覆う下部外側壁３３２と、これらの上部外側壁３３１と下部外側壁３３２の幅方向（図１の矢印Ｙ２方向）の一端側を連結した第１連結壁３３３と、上部外側壁３３１と下部外側壁３３２の他端側を連結した第２連結壁３３４と、から構成されている。
【００３８】
アウターハウジング３３の上部外側壁３３１と下部外側壁３３２は、収容するインナーハウジング３１の上下面との間に、スライダ４０がスライドする空間を画成している。また、アウターハウジング３３の第１連結壁３３３には、図５に示すように、スライダ４０の一対のカム板４１，４２を挿通させるスライダ挿通口３３５が貫通形成されている。
【００３９】
スライダ４０は、図１に示すように、平行に対向配置される一対のカム板４１，４２と、これらの一対のカム板４１，４２の一端側を連結した連結板部４３と、から構成されている。このスライダ４０は、図１の矢印Ａ方向から視ると、略コ字状である。一対のカム板４１，４２は、第２コネクタハウジング３０の幅方向（図１の矢印Ｙ２方向）に細長い矩形状に形成されている。また、一対のカム板４１，４２は、アウターハウジング３３の第１連結壁３３３に形成されたスライダ挿通口３３５から、アウターハウジング３３内に挿通され、コネクタハウジング相互の嵌合方向と直交する方向にスライド可能に第２コネクタハウジング３０に取り付けられる。
【００４０】
第２コネクタハウジング３０にスライド可能に取り付けられたスライダ４０は、その一端の連結板部４３の位置が、図２（ａ）に示すスライド開始位置Ｐ１から、スライド完了位置Ｐ２まで、コネクタハウジング相互の嵌合方向と直交する方向に移動可能である。
【００４１】
スライダ４０の一対のカム板４１，４２には、図２に示すように、嵌合用ピン２１が摺動可能な３個のカム溝４５が、形成されている。３個のカム溝４５は、第１コネクタハウジング２０上の３本の嵌合用ピン２１の位置に対応して設けられている。
【００４２】
各カム溝４５は、図２（ａ）に示すように、始端４５ａが、第１コネクタハウジング２０側の端縁４１ａ，４２ａ（図１参照）に開口している。このカム溝４５は、それぞれの端縁４１ａ，４２ａから徐々に離れるに従って、始端４５ａからスライダ４０のスライド方向（図２（ａ）の矢印Ｙ４方向）と逆側に向かうように延びている。
【００４３】
スライダ４０がスライド開始位置Ｐ１に位置している状態で、第１コネクタハウジング２０と第２コネクタハウジング３０とを嵌合開始位置に突き合わせると、図２（ａ）に示したように、第１コネクタハウジング２０の嵌合用ピン２１がカム溝４５の始端４５ａに進入する。
【００４４】
そして、スライダ４０をスライド開始位置Ｐ１からスライド完了位置Ｐ２に押し込むと、図２（ｂ）に示すように、始端４５ａに位置していた嵌合用ピン２１がカム溝４５内を摺動することで、嵌合用ピン２１がコネクタハウジング相互の嵌合方向に引き込まれ、コネクタハウジング相互の嵌合が深まる。そして、スライダ４０がスライド完了位置Ｐ２まで押し込まれると、図２（ｃ）に示すように、コネクタハウジング相互の嵌合が完了した状態になる。
【００４５】
嵌合補助バネ５０は、図２（ａ）に示すように、スライダ４０と第２コネクタハウジング３０との間に、スライダ４０の押し込み方向と逆方向に圧縮された状態で装備される。そして、図２（ｂ）に示すように、スライダ４０がスライド開始位置Ｐ１からスライド完了位置Ｐ２に押し込まれるときに、嵌合補助バネ５０はスライダ４０の移動に伴って図２（ｂ）に示すように伸長して、スライダ４０をスライド完了位置側に付勢して、スライダ４０を押し込む際の操作力を低減させる。
【００４６】
図３は、スライダ４０がスライド完了位置Ｐ２まで押し込まれた状態の第２コネクタハウジング３０を示している。
【００４７】
図４は、スライダ４０がスライド完了位置Ｐ２まで押し込まれて、第１コネクタハウジング２０と第２コネクタハウジング３０との嵌合が完了した状態で、第２コネクタハウジング３０の後方に引き出されるケーブル７０の引き出し方向の例を、示したものである。本実施形態の低操作力コネクタ１の場合、後述するように、嵌合解除用てこ部材６０の力点部６３が、第２コネクタハウジング３０の後縁に沿って延在し、第２コネクタハウジング３０の後方に延出するレバー部材等が無いため、ケーブル７０の引き出し方向が制限されない。そのため、図４に例示のように、第１の引き出し方向Ｈ１、第２の引き出し方向Ｈ２，第３の引き出し方向Ｈ３，第４の引き出し方向Ｈ４など、様々な方向に自由に設定することができる。また、図示していないが、第２コネクタハウジング３０から引き出すケーブル７０の引き出し方向は、例えば、第２コネクタハウジング３０の後面の中心Ｏｚの周囲の任意方向に引き出し可能である。
【００４８】
嵌合解除用てこ部材６０は、図２（ａ）に示すように、スライダ４０の先端部に当接する作用点部６１と、第２コネクタハウジング３０に回動可能に支持される支点部６２と、当該嵌合解除用てこ部材６０を支点部６２の回りに回動操作するときの操作部となる力点部６３と、を備えている。
【００４９】
支点部６２は、インナーハウジング３１の外側面又はアウターハウジング３３の内側面に立設されたてこ支持軸３５に回転自在に係合する長円状の軸受穴である。したがって、嵌合解除用てこ部材６０は、てこ支持軸３５回りに回動自在である。
【００５０】
本実施形態の嵌合解除用てこ部材６０は、支点部６２から作用点部６１に至る棒状部位６０ａと、支点部６２から力点部６３に至る棒状部位６０ｂとが、互いに直交し、略Ｌ字状の構造になっている。また、嵌合解除用てこ部材６０は、てことして倍力機能を確保するため、力点部６３側の棒状部位６０ｂの長さが、作用点部６１側の棒状部位６０ａの長さよりも大きく設定されている。
【００５１】
この嵌合解除用てこ部材６０は、図５（ａ）に矢印Ｒ５で示すように、支点部６２回りに、図５（ａ）で反時計方向に回動操作すると、作用点部６１がスライダ４０をスライド開始位置に押し戻す。
【００５２】
なお、嵌合解除用てこ部材６０は、スライダ４０がスライド開始位置Ｐ１からスライド完了位置Ｐ２に押し込められるときには、図２（ｂ）に示すように、スライダ４０の移動に伴ってスライダ４０の先端部によって作用点部６１が押されて、図２（ｂ）に矢印Ｒ６方向に回動する。
【００５３】
また、本実施形態の場合、嵌合解除用てこ部材６０は、図５（ａ）に示すように、スライダ４０がスライド完了位置Ｐ２に位置しているとき、力点部６３が第２コネクタハウジング３０の後縁に沿って前記後縁よりも内側に延在する構造で、第２コネクタハウジング３０の後方への突出が抑えられている。
【００５４】
以上に説明した一実施形態の低操作力コネクタ１では、スライド動作によってコネクタハウジング相互を嵌合させるスライダ４０は、スライド操作する際に、嵌合補助バネ５０の付勢を受けて操作力が低減されるため、低操作力でコネクタハウジング相互を嵌合させることができる。
【００５５】
また、一実施形態の低操作力コネクタ１では、スライダ４０の操作力を低減させる嵌合補助バネ５０は、図２及び図３に示すように、スライダ４０と第２コネクタハウジング３０との間に装備することができ、第２コネクタハウジング３０の後方に突出する嵌合用のレバー等の部材が必要ないため、第２コネクタハウジング３０の低背化を図ることができる。
【００５６】
また、一実施形態の低操作力コネクタ１では、第２コネクタハウジング３０の後方に突出する嵌合用のレバー等の部材が必要ないため、第２コネクタハウジング３０の後方に引き出されるケーブルは、図４に示したように、第２コネクタハウジング３０の後方の任意方向に引き出すことができる。即ち、コネクタから引き出されるケーブルの引き出し方向が制限されず、ケーブルの引き出しが容易になる。
【００５７】
また、一実施形態の低操作力コネクタ１では、嵌合接続されている第１コネクタハウジング２０と第２コネクタハウジング３０は、嵌合解除用てこ部材６０の回動操作によって、小さな操作力でスライダ４０をスライド開始位置に押し戻すことができる。したがって、コネクタハウジング相互の離脱も、低操作力で実現することができる。
【００５８】
また、一実施形態の低操作力コネクタ１では、スライダ４０がスライド完了位置Ｐ２に位置し、第１コネクタハウジング２０と第２コネクタハウジング３０との嵌合が完了している状態では、図５（ａ）に示したように、嵌合解除用てこ部材６０の力点部６３が第２コネクタハウジング３０の後縁に沿って前記後縁よりも内側に延在していて、嵌合解除用てこ部材６０の第２コネクタハウジング３０の後方への突出が抑えられている。
【００５９】
したがって、嵌合解除用てこ部材６０も、第２コネクタハウジング３０から引き出されるケーブルの引き出し方向の邪魔になり難く、ケーブルの引き出し性が損なわれることを防止することができる。
【００６０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６１】
ここで、上述した本発明に係る低操作力コネクタの実施形態の特徴をそれぞれ以下［１］〜［３］に簡潔に纏めて列記する。
【００６２】
［１］  外側面に嵌合用ピン（２１）が突設された第１コネクタハウジング（２０）と、
該第１コネクタハウジング（２０）の嵌合相手となる第２コネクタハウジング（３０）と、
コネクタハウジング相互の嵌合方向と直交する方向にスライド可能に前記第２コネクタハウジング（３０）に取り付けられて、スライド開始位置（Ｐ１）からスライド完了位置（Ｐ２）に押し込むと、前記嵌合用ピン（２１）を引き込んでコネクタハウジング相互の嵌合を完了させるカム溝（４５）を有したスライダ（４０）と、
を備える低操作力コネクタ（１）であって、
前記スライダ（４０）が前記スライド開始位置（Ｐ１）から前記スライド完了位置（Ｐ２）に押し込まれるときに、前記スライダ（４０）を前記スライド完了位置（Ｐ２）側に付勢する嵌合補助バネ（５０）を、前記スライダ（４０）と前記第２コネクタハウジング（３０）との間に備えたことを特徴とする低操作力コネクタ（１）。
【００６３】
［２］  前記スライダ（４０）の先端部に当接する作用点部（６１）と、前記第２コネクタハウジング（３０）に回動可能に支持される支点部（６２）とを備え、前記支点部（６２）回りに回動操作すると前記スライダ（４０）を前記スライド開始位置（Ｐ１）に押し戻す嵌合解除用てこ部材（６０）を備えたことを特徴とする上記［１］の低操作力コネクタ（１）。
【００６４】
［３］  前記嵌合解除用てこ部材（６０）は、前記スライダ（４０）が前記スライド完了位置（Ｐ２）に位置しているとき、力点部（６３）が前記第２コネクタハウジング（３０）の後縁に沿って前記後縁よりも内側に延在する構造であることを特徴とする上記［２］の低操作力コネクタ（１）。
【符号の説明】
【００６５】
１  低操作力コネクタ
２０  第１コネクタハウジング
２１  嵌合用ピン
３０  第２コネクタハウジング
４０  スライダ
４５  カム溝
５０  嵌合補助バネ
６０  嵌合解除用てこ部材
６１  作用点部
６２  支点部
６３  力点部
Ｐ１  スライド開始位置
Ｐ２  スライド完了位置
【図１】
2015090797.tif 000003
【図２】
2015090797.tif 000004
【図３】
2015090797.tif 000005
【図４】
2015090797.tif 000006
【図５】
2015090797.tif 000007
【図６】
2015090797.tif 000008